(57)【要約】      （修正有）【課題】装飾片を結合可能な修正テープを提供する。【解決手段】少なくとも１つの表面の周縁に隆起した突出部１３がありその内側に窪み部１４がある本体１と、寸法と形状が窪み部と同じである透明シートであり窪み部に置き結合することができるカバーシート２とを含み、１つの表面にデザイン３１のある装飾片３を窪み部内に置いた後、該カバーシートを該装飾片の上に置き、窪み部と結合し、該装飾片を窪み部とカバーシートとの間に挟むことによりなる。【選択図】図１
0003130286.tif 000002
【実用新案登録請求の範囲】
【請求項１】
その少なくとも１つの表面の周縁に隆起した突出部がありその内側に窪み部がある本体と、寸法と形状が窪み部と同じである透明シートであり窪み部に置き結合することができるカバーシートとを含み、１つの表面にデザインのある装飾片を窪み部内に置いた後、該カバーシートを該装飾片の上に置き、窪み部と結合し、該装飾片を窪み部とカバーシートとの間に挟むことによりなる装飾片を結合可能な修正テープ。
【請求項２】
該窪み部の造形が本体と同じである、または同じでない請求項１記載の装飾片を結合可能な修正テープ。
【請求項３】
該窪み部と突出部の接続部に少なくとも２つの留め穴を設け、カバーシート周縁からこれらの留め穴に対応して留め具が伸び、両者を留めることができる請求項１記載の装飾片を結合可能な修正テープ。
【請求項４】
該装飾片が紙または樹脂フィルムにより作られる請求項１記載の装飾片を結合可能な修正テープ。
【請求項５】
該デザインが文字、模様または図案である請求項１記載の装飾片を結合可能な修正テープ。
【請求項６】
該装飾片のデザインを使用者が作成した写真とする請求項１記載の装飾片を結合可能な修正テープ。
【請求項７】
その少なくとも１つの表面の周縁に隆起した突出部がありその内側に窪み部がある本体と、中身がくりぬかれ穴が開いた環があり該突出部に接続されるカバーリングとを含み、１つの表面にデザインのある装飾片を窪み部内に置いた後、該カバーリングを該突出部につなぎ、該装飾片を窪み部とカバーリングとの間に挟むことによりなる装飾片を結合可能な修正テープ。
【請求項８】
該突出部の上面に複数の嵌め込み穴があり、カバーリングの底面が各嵌め込み穴の位置に対応して嵌め込みほぞが設けられ、両者を嵌め合わせることができる請求項７記載の装飾片を結合可能な修正テープ。
【請求項９】
該カバーリングと装飾片との間に、透明カバーシートを加えた請求項７記載の装飾片を結合可能な修正テープ。
【請求項１０】
該窪み部の造形が本体と同じである、または同じでない請求項７記載の装飾片を結合可能な修正テープ。
【請求項１１】
該装飾片が紙または樹脂フィルムにより作られる請求項７記載の装飾片を結合可能な修正テープ。
【請求項１２】
該デザインが文字、模様または図案である請求項７記載の装飾片を結合可能な修正テープ。
【請求項１３】
該装飾片のデザインを使用者が作成した写真とする請求項７記載の装飾片を結合可能な修正テープ。
【考案の詳細な説明】
【技術分野】
【０００１】
本考案は、修正テープ、特に装飾片を結合可能な修正テープに関し、これにより修正テープに最大の付加価値を加えることができる。
【背景技術】
【０００２】
修正テープは、我々の生活の周辺で多く見られるものであり、特に著作、製図を行なう人、乃至は一般の学生にとって、必携の工具の１つと言える。その原因を探求すると、見せたくない部分を覆い隠す機能があり、かつ素早く使えるため、従来の消しゴムのように、紙を損ねる虞がなく、今日では、各文具店または書店で販売されているのが見られる。
【０００３】
公知の修正テープは、基本的には、本体および先端のテープ出口(またはテープ口)の組み合わせにより構成され、該本体内部にはテープフィーダーおよびテープ巻取りメカニズムがあり、修正テープ体は、テープ出口のテープガイドに巻き込まれる。こうして、我々が使用する際に、該テープガイドの端を消したい部分に押し付け、後ろ向きに移動させると、見せたくない部分が覆い隠される。
【０００４】
一般的に、修正テープの本体表面には、通常、文字、図案または模様などのデザインが印刷されており、標示または修飾に用いられているが、従来の方法は、平版印刷またはスクリーン印刷の方式で、デザインを本体表面に印刷するか、またはデザインをシールなどのシート状の材料に印刷してから本体表面に貼る業者もある。こうすることにより、デザインを修正テープの本体表面に付着させることができるが、これらのデザインは、いずれも業者が出荷前に完成させているため、消費者が使用する修正テープは、どれも同じで、全く特色がなく、個性的ではなく、玉に瑕である。そのため、使用者が修正テープなどの事務用品の表面を、好きなデザインと結合させることができれば、同類の製品にとって画期的なこととなる。
【考案の開示】
【考案が解決しようとする課題】
【０００５】
これに鑑み、出願者は、長年にわたり文具製品の開発と販売に従事してきた経験により、研究を行ない、上記の修正テープのデザインがいずれも業者が印刷したものであるという欠点を克服するため、再三検討し、本考案の「装飾片を結合可能な修正テープ」が創作された。
【課題を解決するための手段】
【０００６】
本考案の主な目的は、その少なくとも１つの表面の周縁に隆起した突出部がありその内側に窪み部がある本体と、寸法と形状が窪み部と同じである透明シートであり窪み部に置き結合することができるカバーシートとを含み、１つの表面にデザインのある装飾片を窪み部内に置いた後、該カバーシートを該装飾片の上に置き、窪み部と結合し、該装飾片を窪み部とカバーシートとの間に挟むことによりなる装飾片を結合可能な修正テープを提供することである。
【０００７】
本考案の二次的な目的は、該窪み部の造形が本体と同じである、または同じでない装飾片を結合可能な修正テープを提供することである。
【０００８】
本考案の別の目的は、該窪み部と突出部の接続部に少なくとも２つの留め穴を設け、カバーシート周縁からこれらの留め穴に対応して留め具が伸び、両者を留めることができる装飾片を結合可能な修正テープを提供することである。
【０００９】
本考案のもう１つの目的は、該装飾片が紙または樹脂フィルムにより作られる装飾片を結合可能な修正テープを提供することである。該デザインは文字、模様または図案である。
【００１０】
本考案のさらにもう１つの目的は、その少なくとも１つの表面の周縁に隆起した突出部がありその内側に窪み部がある本体と、中身がくりぬかれ穴が開いた環があり該突出部に接続されるカバーリングとを含み、１つの表面にデザインのある装飾片を窪み部内に置いた後、該カバーリングを該突出部につなぎ、該装飾片を窪み部とカバーリングとの間に挟むことによりなる装飾片を結合可能な修正テープを提供することである。
【００１１】
本考案の別の目的は、該突出部の上面に複数の嵌め込み穴があり、カバーリングの底面が各嵌め込み穴の位置に対応して嵌め込みほぞが設けられ、両者を嵌め合わせることができる装飾片を結合可能な修正テープを提供することである。
【００１２】
本考案のもう１つの目的は、該カバーリングと装飾片との間に、透明カバーシートを加えた装飾片を結合可能な修正テープを提供することである。
【考案の効果】
【００１３】
本考案の実施により、消費者は、装飾片を自分で素早く交換することができ、その表面の変更により、修正テープに個性的な特色またはスタイルをもたせることができる。また、製造業者にとっては、デザインを本体に印刷する面倒がなくなり、製造コストを削減することができ、これにより該製品のビジネスチャンスを拡大することもでき、製造のウィンウィンの結果ということができ、同類の製品における一大突破口ともいえる。
【考案を実施するための最良の形態】
【００１４】
本考案の具体的な技術内容については、図面を参照のこと。そのうち、図１は本考案の修正テープの立体分解図であり、図２は図１の組立後の立体図であり、図３は本考案の別の実施例の立体分解図であり、図４は本考案のもう１つの実施例の立体分解図であり、図５は図４の組立後の立体図である。
【実施例】
【００１５】
図１のように、基本的に、本考案の修正テープは、本体１、およびカバーシート２の組み合わせによりなる。
【００１６】
そのうち、本体１は公知の者であり、その内部にはテープフィーダーおよびテープ巻取り機構があり、また、本体１の片側にテープ出口１１が設けられ、テープガイドサポート１２が該テープ出口１１に固定され、修正テープ体が該テープガイドサポート１２に巻き込まれ、本体１にテープを収め、出す機能をもたせているが、これは公知技術であり、ここでは詳しく述べない。
【００１７】
本考案が公知のものと異なるのは、該本体１の少なくとも１つの表面の周縁に隆起した突出部１３があり、その内側に窪み部１４があることである。図のように、該本体１はつぶれた楕円形をしており、その窪み部１４も同じ造形をしているが、その限りでなく、該窪み部の造形が本体と異なるようにすることも可能であり、後述する装飾片３およびカバーシート２を収納できればよい。該窪み部１４は、カバーシート２と結合させるのに便利であり、これと突出部１３の接続部に少なくとも２つの留め穴１５が設けられている。図のように、該窪み部１４の周縁は、長方形の方式で、４つの留め穴１５が対応して設けられ、カバーシート２の結合度を増加させ、挟む装飾片３が外れることがないようにしている。
【００１８】
カバーシート２は、寸法と形状が窪み部１４と同じである透明シートであり、実施時には、ポリエチレンテレフタレートフィルム(ＰＥＴ  Ｆｉｌｍ)などの高分子樹脂材料でプレスし成型する。その周縁には、少なくとも２つの留め具２１が突き出し、該窪み部１４の周縁に予め設けられた留め穴１５内に留め、該カバーシート２を該窪み部１４に結合させることができる。
【００１９】
装飾片３は、シートとし、例えば紙または樹脂フィルムのいずれでもよく、その表面には、文字、模様、図案などのデザイン３１、例えば商標および／または文字標示などが印刷されており、その寸法と形状は、窪み部１４と同じであることが好ましいが、その限りでなく、その該窪み部１４内に収納できればよい。これによって、製造業者にとっては、商標および/または文字標示などのデザイン３１を先に装飾片３の表面に印刷してから、該装飾片３を窪み部１４内に置き、該カバーシート２を該装飾片３の上に置き、その留め具２１をそれぞれ対応する留め穴１５に留めるだけで、装飾片３を本体１の窪み部１４内にしっかりと固定することができ、その完成後の立体形態は、図２のとおりである。但し、使用者は、写真、プリントシール、風景写真などの装飾片などを自分で準備し、使用者の希望を満たすこともできる。
【００２０】
図２のように、消費者が本製品を取得した時に、留め具２１と留め穴１５の留めを解除するだけで、カバーシート２と本来の装飾片を、本体の窪み部１４から外すことができ、こうして、消費者は、自分の好きな新しい装飾片３、例えば写真を、本来の装飾片の寸法と造形に切ってから、上記の結合方法で組み合わせるだけで、新しい装飾片３に自分で交換することができ、比べ物にならないほど素早く便利である。
【００２１】
図３は、本考案の別の実施例の立体分解図であり、その上記の実施例との違いは、透明カバーシート２の代わりに、カバーリング４を使用していることである。該本体１には、少なくとも1つの表面の周縁に隆起した突出部１３があり、その内側に窪み部１４があり、かつ該突出部１３の上には複数の嵌め込み穴１６が設けられており、カバーリング４と結合させるのに便利である。カバーリング４は、中身がくりぬかれた穴４１のある環であり、その周縁の寸法と形状は、突出部１３に等しいことが好ましいが、その限りではない。図のように、該カバーリング４は中空の楕円形であり、その底面は各嵌め込み穴１６の位置に対応し、嵌め込みほぞ４２が突き出している。組立時には、装飾片３を窪み部１４内に置き、カバーリング４を本体１び突出部１３に結合させ、その底縁で該装飾片３の縁を押さえて固定する。
【００２２】
図４は、本考案のもう１つの実施例の立体分解図であり、その上記第二実施例との違いは該カバーリング４と装飾片３の間に、透明カバーシート２を加えていることであり、これによって、該装飾片３を保護することができる。組立後の立体形態は、図５のとおりである。
【００２３】
本考案で開示した内容は、比較的優れた実施例の一種であり、本考案の技術思想の局部的な変更または修飾を行ない、この技術に習熟した人が推測しやすいものは、本案の特許の範疇から外れない。
【００２４】
以上、本考案は、目的、手段、効果のいずれにおいても、公知の技術とは異なる特徴が存在しており、かつ考案は実用的であり、実用新案の要件に適合している。
【図面の簡単な説明】
【００２５】
【図１】本考案の修正テープの立体分解図である。
【図２】図１の組立後の立体図である。
【図３】本考案の別の実施例の立体分解図である。
【図４】本考案のもう１つの実施例の立体分解図である。
【図５】図４の組立後の立体図である。
【符号の説明】
【００２６】
１  本体
１１テープ出口
１２テープガイドサポート
１３突出部
１４窪み部
１５留め穴
１６嵌め込み穴
２  カバーシート
２１留め具
３  装飾片
３１デザイン
４  カバーリング
４１くりぬかれた穴
４２嵌め込みほぞ
【図１】
0003130286.tif 000003
【図２】
0003130286.tif 000004
【図３】
0003130286.tif 000005
【図４】
0003130286.tif 000006
【図５】
0003130286.tif 000007